(57)【要約】【課題】物干し構成部材の高さを変更することができる物干しを提供する。【解決手段】内側物干し構成部材１１の内脚部１５と外側物干し構成部材１２の外脚部１８を連結部２１で回動自在に支持する。連結部２１を、内側物干し構成部材１１の内脚部１５を支持する内側支持部材２２と、該内側支持部材２２に回動自在に支持されるとともに外側物干し構成部材１２の外脚部１８を支持する外側支持部材２３とで構成する。内側支持部材２２に対する外側支持部材２３の回転を所定の角度で規制する回転規制手段を設ける。内側及び外側支持部材２２，２３の両者に、当該支持部材２２，２３に対する各脚部１５，１８の固定位置を変更可能に固定する各固定手段６２，１１２を設ける。【選択図】図５
2007130270.tif 000002
【特許請求の範囲】
【請求項１】
対を成す物干し構成部材の脚部が連結部を介して回動自在に支持された物干しにおいて、
前記連結部を、一方の物干し構成部材の脚部を支持する第１支持部材と、該第１支持部材に回動自在に支持され他方の物干し構成部材の脚部を支持する第２支持部材とで構成し、前記第１支持部材に対する前記第２支持部材の回転を所定の角度で規制する回転規制手段を設けるとともに、前記第１支持部材又は前記第２支持部材の少なくともいずれか一方の支持部材に、当該支持部材に対する前記脚部の固定位置を変更可能に固定する固定手段を設けたことを特徴とする物干し。
【請求項２】
前記第２支持部材を互いに連結される第１分割部材と第２分割部材とで構成したことを特徴とする請求項１記載の物干し。
【請求項３】
前記第１支持部材に、前記第２支持部材を回転自在に案内するガイド溝を周方向に延設する一方、前記第２支持部材に、前記ガイド溝に挿入された状態で該ガイド溝に沿って案内される挿入部を設け、
該挿入部を、前記第１分割部材と前記第２分割部材とに分割して設けるとともに、前記第１分割部材及び前記第２分割部材を連結して両分割部材の各挿入部を前記ガイド溝に挿入した状態で、前記両分割部材の各挿入部が前記第１支持部材の回転中心を包囲するように配置したことを特徴とする請求項２記載の物干し。
【請求項４】
前記第１支持部材に、当該第１支持部材の回転中心を通過して直径方向に延在する凸条部を設けるとともに、前記第２支持部材に、前記凸条部の側面に当接して前記第１支持部材に対する前記第２支持部材の回転を規制する回転規制部を設けて回転規制手段を構成したことを特徴とする請求項１、２又は３記載の物干し。
【請求項５】
前記第２支持部材に、当該第２支持部材の回転中心を通過して直径方向に延在する凸条部を設けるとともに、前記第１支持部材に、前記凸条部の側面に当接して前記第２支持部材に対する前記第１支持部材の回転を規制する回転規制部を設けて回転規制手段を構成したことを特徴とする請求項１、２又は３記載の物干し。
【請求項６】
前記固定手段が設けられた支持部材に前記脚部が挿通する筒部を設け、該筒部の先端にスリットを設けて当該筒部の先端部を縮径可能に構成する一方、
前記筒部の基端部に設けられた雄ねじに螺合する筒状部材を備えるとともに、該筒状部材を前記筒部に螺入するに従って前記筒部の先端部を後退させて縮径するテーパー面を当該筒状部材の内側面に設けて前記固定手段を構成したことを特徴とする請求項１から５にいずれか記載の物干し。
【発明の詳細な説明】
【技術分野】
【０００１】
本発明は、衣類などを干す際に使用する物干しに関する。
【背景技術】
【０００２】
従来、洗濯物などを干す際には、物干しが使用されていた。
【０００３】
この物干しとしては、折り畳み式のものが知られている。
【０００４】
この折り畳み式の物干しとしては、対を成す物干し構成部材によって構成されており、各物干し構成部材は、パイプ部材によって形成されている。該物干し構成部材は、洗濯物等を干す為の水平に延在する物干し部と、該物干し部の両端より下方に延出した脚部とによってコ字状に形成されており、両物干し構成部材は、それぞれの脚部を貫通する貫通ピンによって回動自在に連結されている。
【０００５】
また、前記両物干し構成部材の物干し部が離間するように前記両物干し構成部材を展開した際には、両物干し構成部材の各脚部がＸ状に交差するように構成されており、この状態において、両脚部の開きを規制することによって、前記両物干し構成部材の物干し部が離間した状態を維持できるように構成されている。
【発明の開示】
【発明が解決しようとする課題】
【０００６】
しかしながら、このような物干しにおいては、物干し構成部材の脚部が貫通ピンで連結されているため、物干し構成部材の高さを変更することができなかった。
【０００７】
本発明は、このような従来の課題に鑑みてなされたものであり、物干し構成部材の高さを変更することができる物干しを提供することを目的とするものである。
【課題を解決するための手段】
【０００８】
前記課題を解決するために本発明の請求項１の物干しにあっては、対を成す物干し構成部材の脚部が連結部を介して回動自在に支持された物干しにおいて、前記連結部を、一方の物干し構成部材の脚部を支持する第１支持部材と、該第１支持部材に回動自在に支持され他方の物干し構成部材の脚部を支持する第２支持部材とで構成し、前記第１支持部材に対する前記第２支持部材の回転を所定の角度で規制する回転規制手段を設けるとともに、前記第１支持部材又は前記第２支持部材の少なくともいずれか一方の支持部材に、当該支持部材に対する前記脚部の固定位置を変更可能に固定する固定手段を設けた。
【０００９】
すなわち、対を成す物干し構成部材の脚部を回動自在に支持する連結部は、一方の物干し構成部材の脚部を支持する第１支持部材と、他方の物干し構成部材の脚部を支持する第２支持部材とで構成されており、前記第２支持部材は、前記第１支持部材に回動自在に支持されている。これにより、前記第２支持部材に支持された物干し構成部材の脚部を、前記第１支持部材に支持された物干し構成部材の脚部に対して回動することができる。
【００１０】
このとき、前記第１支持部材に対する前記第２支持部材の回転を所定の角度で規制する回転規制手段が設けられており、前記第２支持部材の脚部は、前記第１支持部材の脚部に対して所定の角度回動した状態で維持される。これにより、前記第１支持部材に支持された物干し構成部材の脚部と前記第２支持部材に支持された物干し構成部材の脚部とをＸ状に交差させ、前記両物干し構成部材を展開した展開状態を形成することができる。
【００１１】
そして、前記第１支持部材又は前記第２支持部材の少なくともいずれか一方の支持部材には、当該支持部材に対する前記脚部の固定位置を変更可能に固定する固定手段が設けられている。このため、前記支持部材に設けられた脚部の固定位置を変更することによって、当該脚部を備えた物干し構成部材の高さ位置が変更される。
【００１２】
また、請求項２の物干しにおいては、前記第２支持部材を互いに連結される第１分割部材と第２分割部材とで構成した。
【００１３】
すなわち、前記第１支持部材に回動自在に支持される前記第２支持部材は、互いに連結される第１分割部材と第２分割部材とによって構成されている。
【００１４】
このため、前記第２支持部材が一部材で構成された場合と比較して、前記第１支持部材への取付性等が高められる。
【００１５】
さらに、請求項３の物干しでは、前記第１支持部材に、前記第２支持部材を回転自在に案内するガイド溝を周方向に延設する一方、前記第２支持部材に、前記ガイド溝に挿入された状態で該ガイド溝に沿って案内される挿入部を設け、該挿入部を、前記第１分割部材と前記第２分割部材とに分割して設けるとともに、前記第１分割部材及び前記第２分割部材を連結して両分割部材の各挿入部を前記ガイド溝に挿入した状態で、前記両分割部材の各挿入部が前記第１支持部材の回転中心を包囲するように配置した。
【００１６】
すなわち、前記第１支持部材のガイド溝に挿入される挿入部は、前記第２支持部材を構成する前記第１分割部材と前記第２分割部材とに分割されている。このため、前記第１及び第２分割部材を連結する際に、各分割部材に分割された前記挿入部が前記第１支持部材のガイド溝に挿入される。
【００１７】
この状態において、前記両分割部材の各挿入部は、前記第１支持部材の回転中心を包囲するように配置されている。このため、この連結状態において、前記各分割部材の前記挿入部が前記第１支持部材の前記ガイド溝に挿入されることによって、当該第２支持部材の前記第１支持部材からの離脱が防止される。
【００１８】
また、請求項４の物干しにあっては、前記第１支持部材に、当該第１支持部材の回転中心を通過して直径方向に延在する凸条部を設けるとともに、前記第２支持部材に、前記凸条部の側面に当接して前記第１支持部材に対する前記第２支持部材の回転を規制する回転規制部を設けて回転規制手段を構成した。
【００１９】
すなわち、前記第１支持部材には、直径方向に延在する凸条部が設けられており、前記第２支持部材には、前記凸条部の側面に当接して前記第１支持部材に対する前記第２支持部材の回転を規制する回転規制部が設けられている。
【００２０】
このため、前記第２支持部材を所定の角度回動した際には、該第２支持部材に設けられた回転規制部が前記第１支持部材に設けられた前記凸条部の側面に当接することによって、前記第１支持部材に対する当該第２支持部材の回転が規制される。
【００２１】
さらに、請求項５の物干しでは、前記第２支持部材に、当該第２支持部材の回転中心を通過して直径方向に延在する凸条部を設けるとともに、前記第１支持部材に、前記凸条部の側面に当接して前記第２支持部材に対する前記第１支持部材の回転を規制する回転規制部を設けて回転規制手段を構成した。
【００２２】
すなわち、前記第２支持部材には、直径方向に延在する凸条部が設けられており、前記第１支持部材には、前記凸条部の側面に当接して前記第２支持部材に対する前記第１支持部材の回転を規制する回転規制部が設けられている。
【００２３】
このため、前記第１支持部材を所定の角度回動した際には、該第１支持部材に設けられた回転規制部が前記第２支持部材に設けられた前記凸条部の側面に当接することによって、前記第２支持部材に対する当該第１支持部材の回転が規制される。
【００２４】
さらに、請求項６の物干しにあっては、前記固定手段が設けられた支持部材に前記脚部が挿通する筒部を設け、該筒部の先端にスリットを設けて当該筒部の先端部を縮径可能に構成する一方、前記筒部の基端部に設けられた雄ねじに螺合する筒状部材を備えるとともに、該筒状部材を前記筒部に螺入するに従って前記筒部の先端部を後退させて縮径するテーパー面を当該筒状部材の内側面に設けて前記固定手段を構成した。
【００２５】
すなわち、前記固定手段が設けられた支持部材を挿通した前記脚部を固定する際には、当該支持部材に設けられた筒部に螺合する筒状部材を締め付ける。このとき、この筒状部材を前記筒部に螺入するに従って、当該筒状部材に設けられたテーパー面が前記筒部の先端部を後退させて縮径する。
【００２６】
すると、この筒部を挿通した脚部が、縮径された筒部によって締め付けられ、当該筒部に対する前記脚部の移動が阻止される。これにより、前記支持部材に対して前記脚部を固定することができる。
【発明の効果】
【００２７】
以上説明したように、本発明の請求項１の物干しにあっては、対を成す物干し構成部材の脚部を回動自在に支持する連結部が、一方の物干し構成部材の脚部を支持する第１支持部材と、他方の物干し構成部材の脚部を支持する第２支持部材とで構成されており、前記第２支持部材は、前記第１支持部材に回動自在に支持されている。これにより、前記第２支持部材に支持された物干し構成部材の脚部を、前記第１支持部材に支持された物干し構成部材の脚部に対して回動することができ、両物干し構成部材を開閉することができる。
【００２８】
このとき、前記第１支持部材に対する前記第２支持部材の回転を所定の角度で規制する回転規制手段が設けられており、前記第２支持部材の脚部を、前記第１支持部材の脚部に対して所定の角度回動した状態で維持することができる。これにより、前記第１支持部材に支持された物干し構成部材の脚部と前記第２支持部材に支持された物干し構成部材の脚部とをＸ状に交差させ、前記両物干し構成部材を展開した展開状態を維持することができる。
【００２９】
そして、前記第１支持部材又は前記第２支持部材の少なくともいずれか一方の支持部材には、当該支持部材に対する前記脚部の固定位置を変更可能に固定する固定手段が設けられている。このため、前記支持部材に設けられた脚部の固定位置を変更することによって、当該脚部を備えた物干し構成部材の高さを変更することができる。
【００３０】
したがって、対を成す物干し構成部材の脚部が貫通ピンで連結された従来と比較して、物干し構成部材の開閉を可能としつつ、物干し構成部材の高さを変更することができる。
【００３１】
また、請求項２の物干しにおいては、前記第１支持部材に回動自在に支持される前記第２支持部材を、互いに連結される第１分割部材と第２分割部材とによって構成したため、前記第２支持部材が一部材で構成された場合と比較して、前記第１支持部材への取付性を高めることができる。
【００３２】
さらに、請求項３の物干しでは、前記第１支持部材のガイド溝に挿入される挿入部は、前記第２支持部材を構成する前記第１分割部材と前記第２分割部材とに分割されており、前記第１及び第２分割部材を連結する際に、各分割部材に分割された前記挿入部を、前記第１支持部材のガイド溝に挿入した状態を形成することができる。
【００３３】
この状態において、前記両分割部材の各挿入部は、前記第１支持部材の回転中心を包囲するように配置されている。このため、この連結状態において、前記各分割部材の前記挿入部が前記第１支持部材の前記ガイド溝に挿入されることによって、当該第２支持部材の前記第１支持部材からの不用意な離脱を確実に防止することができる。
【００３４】
また、請求項４の物干しにあっては、前記第１支持部材に、直径方向に延在する凸条部が設けられるとともに、前記第２支持部材に、前記凸条部の側面に当接して前記第１支持部材に対する前記第２支持部材の回転を規制する回転規制部が設けられている。
【００３５】
このため、前記第２支持部材を所定の角度回動した状態において、該第２支持部材に設けられた回転規制部が前記第１支持部材に設けられた前記凸条部の側面に当接することによって、前記第１支持部材に対する当該第２支持部材の回転を規制することができる。
【００３６】
これにより、一方の物干し構成部材に対して他方の物干し構成部材が所定の開き角開いた状態を維持することができる。
【００３７】
さらに、請求項５の物干しにあっては、前記第２支持部材に、直径方向に延在する凸条部が設けられるとともに、前記第１支持部材に、前記凸条部の側面に当接して前記第２支持部材に対する前記第１支持部材の回転を規制する回転規制部が設けられている。
【００３８】
このため、前記第１支持部材を所定の角度回動した状態において、該第１支持部材に設けられた回転規制部が前記第２支持部材に設けられた前記凸条部の側面に当接することによって、前記第２支持部材に対する当該第１支持部材の回転を規制することができる。
【００３９】
これにより、一方の物干し構成部材に対して他方の物干し構成部材が所定の開き角開いた状態を維持することができる。
【００４０】
加えて、請求項６の物干しにあっては、前記固定手段が設けられた支持部材の筒部に螺合する筒状部材を締め付けることによって、当該支持部材に対して前記脚部を固定することができる。
【００４１】
また、前記筒部に螺合した前記筒状部材を緩めることによって、前記支持部材に対する前記脚部の固定位置を変更することができる。
【発明を実施するための最良の形態】
【００４２】
以下、本発明の一実施の形態を図に従って説明する。図１は、本実施の形態にかかる物干し１を示す図であり、該物干し１は、折り畳み式であって洗濯物等を干す際に使用されるものである。
【００４３】
この物干し１は、対を成す内側物干し構成部材１１と外側物干し構成部材１２とによって構成されており、各物干し構成部材１１，１２は、パイプ部材によって形成されている。前記内側物干し構成部材１１は、洗濯物等を干す為の水平に延設された物干し部１３と、該物干し部１３の両端にＬ字状のエルボ１４を介して接続された内脚部１５とによってコ字状に形成されている。また、前記外側物干し構成部材１２も、図２にも示すように、洗濯物等を干す為の水平に延設された物干し部１６と、該物干し部１６の両端にＬ字状のエルボ１７を介して接続された外脚部１８とによってコ字状に形成されている。
【００４４】
両物干し構成部材１１，１２は、それぞれの脚部１５，１８が連結部２１によって回動自在に連結されており、前記両物干し構成部材１１，１２の物干し部１３，１６が離間するように前記各脚部１５，１８をＸ状に交差させ前記両物干し構成部材１１，１２を展開した展開状態と、前記両物干し構成部材１１，１２の物干し部１３，１６が近接するように前記両物干し構成部材１１，１２を閉鎖された折り畳み状態とを形成できるように構成されている。
【００４５】
そして、前記内側物干し構成部材１１の前記内脚部１，１５は、前記外側物干し構成部材１２の前記外脚部１８，１８の内側に配置されている。このため、前記外脚部１８，１８の上方への突出量を、前記内脚部１５，１５の上方への突出量より大きくすることによって、前記折り畳み状態において、両物干し構成部材１１，１２の両脚部１５，１５，１８，１８を重ねて配置することができる。これにより、前記両物干し構成部材１１，１２の厚み寸法を、一本のパイプ材の厚み寸法とすることができる。
【００４６】
前記連結部２１は、図２にも示すように、前記内側物干し構成部材１１の内脚部１５を支持する第１支持部材としての内側支持部材２２と、該内側支持部材２２に回動自在に支持された第２支持部材としての外側支持部材２３とによって構成されており、該外側支持部材２３には、前記外側物干し構成部材１２の外脚部１８が支持されている。
【００４７】
前記内側支持部材２２には、図３及び図４にも示すように、前記内脚部１５が挿通する筒状の内脚部挿通部３１と、該内脚部挿通部３１の外側面に一体形成された内嵌部３２が設けられており、前記内脚部挿通部２２の内側面には、対向して配置される連結部２１の内側支持部材２２側へ延出する円筒状の嵌入部３３が設けられている。対向した内側支持部材２２，２２の両嵌入部３３，３３には、連結パイプ３４の端部が挿入された状態で固定されるように構成されており、対向した内側支持部材２２，２２は、前記連結パイプ３４によって連結されている。
【００４８】
前記内側支持部材２２の前記内嵌部３２は、図５及び図６にも示すように、前記外側支持部材２３に内嵌するように構成されており、当該内嵌部３２は、図７にも示すように、前記外側支持部材２３に内嵌した状態で回転可能な円形リング状に形成されている。この内嵌部３２の外周面には、ガイド溝４１が全周に渡って形成されており（図５及び図６参照）、前記外側支持部材２３を回転自在に案内できるように構成されている。
【００４９】
また、前記内嵌部３２の端面には、矩形枠状の凸条部４５が突設されており、該凸条部４５は、横断リブ４６，・・・によって補強されている。この凸条部４５は、前記内側支持部材２２の回転中心Ｃを通過して直径方向に延設されており、当該内嵌部３２の対向する端部間に配設されている。
【００５０】
前記内脚部挿通部３１の上部には、図５に示したように、円筒状の筒部５１が一体形成されており、該筒部５１の基端部には、雄ねじ部５２が形成されている。前記筒部５１の先端には、上下に延在する複数のスリット５３，・・・が設けられており、当該筒部５１の先端部を縮径できるように構成されている。この筒部５１には、円筒状の筒状部材５４が外嵌するように構成されており、該筒状部材５４の内側面の下端側には、前記雄ねじ部５２に螺合する雌ねじ部５５が形成されている。
【００５１】
また、前記筒状部材５４の内側面の上端部には、テーパー面６１が形成されており、当該テーパー面６１においては、その内径寸法が上方へ向かうに従って狭くなるように構成されている。これにより、この筒状部材５４を前記筒部５１に螺入するに従って、前記筒部５１の先端部を、その中心方向へ向けて後退させ、当該先端部を縮径できるうように構成されており、当該筒部５１を挿通する前記内脚部１５を締め付けて固定する内側固定手段６２が構成されている。
【００５２】
前記内脚部挿通部３１には、前記筒部５１の下部に該筒部５１より大径の大径部７１が設定されている。これにより、前記内脚部１５の下部を構成する下部パイプ７２を前記大径部７１に挿入して固定する一方、前記内脚部１５の上部を構成する上部パイプ７３を前記筒部５１に挿入した際には、当該上部パイプ７３の下端側を前記下部パイプ７２内に案内できるように構成されている。そして、前記筒状部材５４を緩めて固定状態を解除した際には、当該上部パイプ７３の延出量を可変できる一方、前記筒状部材５４を締めて固定状態を形成することで、前記上部パイプ７３を固定できるように構成されている。
【００５３】
前記外側支持部材２３には、図３及び図４に示したように、前記外脚部１８が挿通する筒状の外脚部挿通部８１と、該外脚部挿通部８１の内側面に一体形成された外嵌部８２が設けられており、該外嵌部８２は、図５及び図６にも示すように、前記内側支持部材２２の前記内嵌部３２に外嵌するように構成されている。当該外嵌部８２は、図７にも示すように、前記内嵌部３２に回転自在に外嵌する円形リング状に形成されており、この外嵌部８２の端面には、前記内嵌部３２に形成された前記ガイド溝４１に挿入された状態で該ガイド溝４１に沿って案内される円形を成す挿入部８３が全周に渡って形成されている（図５及び図６参照）。
【００５４】
また、前記外嵌部８２の内側面には、上下の対向した箇所に、前記内側支持部材２２の前記内嵌部３２に形成された前記凸条部４５の側面に当接して、前記内側支持部材２２に対する当該外側支持部材２３の回転を規制する回転規制部９１，９２が突設されている。各回転規制部９１，９２は、三角形状に形成されており、前記内側支持部材２２に対して前記外側支持部材２３の回転した際に、いずれかの斜面が前記凸条部４５のいずれかの側面に当接するように構成されている。これにより、前記内側支持部材２２に対して前記外側支持部材２３を５０度回転した時点で、その回転を規制する回転規制手段が構成されている。
【００５５】
前記外脚部挿通部８１の上部にも、図５に示したように、円筒状の筒部１０１が一体形成されており、該筒部１０１の基端部には、雄ねじ部１０２が形成されている。前記筒部１０１の先端には、上下に延在する複数のスリット１０３，・・・が設けられており、当該筒部１０１の先端部を縮径できるように構成されている。この筒部１０１には、円筒状の筒状部材１０４が外嵌するように構成されており、該筒状部材１０４の内側面の下端側には、前記雄ねじ部１０２に螺合する雌ねじ部１０５が形成されている。
【００５６】
また、前記筒状部材１０４の内側面の上端部には、テーパー面１１１が形成されており、当該テーパー面１１１においては、その内径寸法が上方へ向かうに従って狭くなるように構成されている。これにより、この筒状部材１０４を前記筒部１０１に螺入するに従って、該筒部１０１の先端部を、その中心方向へ向けて後退させ、当該先端部を縮径できるうように構成されており、当該筒部１０１を挿通する前記外脚部１８を締め付けて固定する外側固定手段１１２が構成されている。
【００５７】
前記外脚部挿通部８１には、前記筒部１０１の下部に該筒部１０１より大径の大径部１２１が設定されている。これにより、前記外脚部１８の下部を構成する下部パイプ１２２を前記大径部１２１に挿入して固定する一方、前記外脚部１８の上部を構成する上部パイプ１２３を前記筒部１０１に挿入した際には、当該上部パイプ１２３の下端側を前記下部パイプ１２２内に案内できるように構成されている。そして、前記筒状部材１０４を緩めて固定状態を解除した際には、当該上部パイプ１２３の延出量を可変できる一方、前記筒状部材１０４を締めて固定状態を形成することで、前記上部パイプ１２３を固定できるように構成されている。
【００５８】
そして、この外側支持部材２３は、図３及び図８並びに図９にも示すように、互いに連結される第１分割部材としての下部分割部材１３１と、第２分割部材としての上部分割部材１３２とによって構成されている。これにより、前記挿入部８３は、図５に示したように、前記下部分割部材１３１に設けられた下部半円部１３３と、前記上部分割部材１３２に設けられた上部半円部１３４とに分割されており、図１０及び図１１にも示すように、前記下部分割部材１３１と前記上部分割部材１３２とを連結して両分割部材１３１，１３２の各半円部１３３，１３４を前記ガイド溝４１に挿入した状態で、前記両分割部材１３１，１３２の各半円部１３３，１３４が前記両支持部材２２，２３の回転中心Ｃを包囲するように各半円部１３３，１３４が配置されている。
【００５９】
また、図５に示したように、前記下部分割部材１３１の上端面には、前記上部分割部材１３２側へ延出する接続用フランジ部１４１が突設されており、前記上部分割部材１３２の下端面には、前記下部分割部材１３１に設けられた前記接続用フランジ部１４１が挿入される係合溝１４２が形成されている。また、図３に示したように、前記下部分割部材１３１より側方に延出した下部延出部１４３には、図外のナットが内嵌したナット穴１４４が形成さており、図４にも示すように、前記上部分割部材１３２より側方に延出した上部延出部１４５には、ボルト１４６が挿入されるボルト挿入穴１４７が設けられている。
【００６０】
これにより、前記下部分割部材１３１の前記接続用フランジ部１４１を前記上部分割部材１３２の前記係合溝１４２に挿入した状態で、該上部分割部材１３２を前記下部分割部材１３１に位置決めするとともに、前記上部分割部材１３２のボルト挿入穴１４７に挿入されたボルト１４６を、前記下部分割部材１３１のナット穴１４４に設けられたナットに螺合することによって、前記上部分割部材１３２と前記下部分割部材１３１とを連結できるように構成されている。
【００６１】
以上の構成にかかる本実施の形態において、内側物干し構成部材１１の内脚部１５と外側物干し構成部材１２の外脚部１８とを回動自在に支持する連結部２１は、内側物干し構成部材１１の内脚部１５を支持する内側支持部材２２と、外側物干し構成部材１２の外脚部１８を支持する外側支持部材２３とで構成されており、前記内側支持部材２２は、前記外側支持部材２３に回動自在に支持されている。
【００６２】
これにより、前記内側支持部材２２に支持された前記内側物干し構成部材１１の内脚部１５を、前記外側支持部材２３に支持された前記外側物干し構成部材１２の外脚部１８に対して回動することができ、両物干し構成部材１１，１２を開閉することができる。
【００６３】
このとき、前記連結部２１には、前記内側支持部材２２に対する前記外側支持部材２３の回転を所定の角度で規制する回転規制手段が設けられており、前記外側支持部材２３の外脚部１８を、前記内側支持部材２２の内脚部に対して所定の角度回動した状態で維持することができる。これにより、前記内側支持部材２２に支持された内側物干し構成部材１１の内脚部１５と前記外側支持部材２２に支持された外側物干し構成部材１２の外脚部１８とをＸ状に交差させ、前記両物干し構成部材１１，１２を展開した展開状態を維持することができる。
【００６４】
そして、前記内側支持部材２２及び前記外側支持部材２３の両者には、各支持部材２２，２３に対する前記各脚部１５，１８の固定位置を変更可能に固定する各固定手段６２，１１２が設けられている。このため、図１又は図１２に示すように、前記各支持部材２２，２３に設けられた各脚部１５，１８の固定位置を変更することによって、当該脚部１５，１８を備えた物干し構成部材１１，１２の高さを変更することができる。
【００６５】
したがって、対を成す物干し構成部材の脚部が貫通ピンで連結された従来と比較して、両物干し構成部材１１，１２の開閉を可能としつつ、各物干し構成部材１１，１２の高さを変更することができる。
【００６６】
また、前記内側支持部材２２に回動自在に支持される前記外側支持部材２３は、互いに連結される下部分割部材１３１と上部分割部材１３２とによって構成されている。このため、前記内側支持部材２２が一部材で構成された場合と比較して、当該内側支持部材２２の前記外側支持部材２３への取付性を高めることができる。
【００６７】
さらに、前記内側支持部材２２のガイド溝４１に挿入される挿入部８３は、前記内側支持部材２２を構成する前記下部分割部材１３１と前記上部分割部材１３２とに分割されており、前記下部及び上部分割部材１３１，１３２を連結する際に、各分割部材１３１，１３２に分割された前記挿入部８３の下部半円部１３３と上部半円部１３４とを、前記内側支持部材２２の前記ガイド溝４１に挿入した状態を形成することができる。
【００６８】
この状態において、前記両分割部材１３１，１３２の各半円部１３３，１３４は、前記両支持部材２２，２３の回転中心Ｃを包囲するように配置されており、前記両半円部１３３，１３４で構成された挿入部８３は、前記内嵌部３２を全周に渡って包囲する。
【００６９】
このため、この連結状態において、前記各分割部材１３１，１３２の前記挿入部８３が前記内側支持部材２２の前記ガイド溝４１の全周に渡って挿入されるため、当該外側支持部材２３の前記内側支持部材２２からの不用意な離脱を確実に防止することができる。
【００７０】
また、前記内側支持部材２２の内嵌部３２には、直径方向に延在する凸条部４５が設けられるとともに、前記外側支持部材２３の外嵌部８２には、前記凸条部４５の側面に当接して前記内側支持部材２２に対する前記外側支持部材２３の回転を規制する回転規制部９１，９２が設けられている。
【００７１】
このため、前記外側支持部材２３を所定の角度回動した状態において、該外側支持部材２３に設けられた回転規制部９１，９２が前記内側支持部材２２に設けられた前記凸条部４５の側面に当接することによって、前記内側支持部材２２に対する当該外側支持部材２３の回転を規制することができる。
【００７２】
これにより、内側物干し構成部材１１に対して外側物干し構成部材１２が所定の開き角開いた状態を維持することができる。
【００７３】
そして、前記各固定手段６２，１１２が設けられた各支持部材２２，２３を挿通した前記各脚部１５，１８を固定する際には、各支持部材２２，２３に設けられた筒部５１，１０１に螺合した筒状部材５４，１０４を締め付ける。このとき、各筒状部材５４，１０４を前記各筒部５１，１０１に螺入するに従って、当該筒状部材５４，１０４に設けられたテーパー面６１，１１１が前記筒部５１，１０１の先端部を後退させて縮径する。
【００７４】
これにより、各筒部５１，１０１を挿通した各脚部１５，１８が、縮径された筒部５１，１０１によって締め付けられ、当該筒部５１，１０１に対する前記脚部１５，１８の移動が阻止される。これにより、前記各支持部材２２，２３に対して前記各脚部１５，１８を固定することができる。
【００７５】
一方、前記各筒部５１，１０１に螺合した前記各筒状部材５４，１０４を緩めることによって、図１や図１２に示したように、前記支持部材２２，２３に対する前記各脚部１５，１８の固定位置を変更することができる。
【００７６】
なお、本実施の形態にあっては、前記内側支持部材２２の内嵌部３２に、当該内側支持部材２２の回転中心Ｃを通過して直径方向に延在する矩形枠状の凸条部４５を設け、前記外側支持部材２３の外嵌部８２に、前記内側支持部材２２に設けられた前記凸条部４５の側面に当接して前記内側支持部材２２に対する当該外側支持部材２３の回転を規制する回転規制部９１，９２を突設した場合を例に挙げて説明したが、これに限定されるものでは無い。
【００７７】
例えば、前記外側支持部材２３の外嵌部８２に、当該外側支持部材２３の回転中心Ｃを通過して直径方向に延在する矩形枠状の凸条部４５を設け、前記内側支持部材２２の内嵌部３２に、前記外側支持部材２３に設けられた前記凸条部４５の側面に当接して前記外側支持部材２３に対する当該内側支持部材２２の回転を規制する回転規制部９１，９２を突設しても良い。
【図面の簡単な説明】
【００７８】
【図１】本発明の一実施の形態の側面図である。
【図２】同実施の形態の要部を示す正面図である。
【図３】同実施の形態の要部を示す拡大図である。
【図４】図３の平面図である。
【図５】図４のＡ−Ａ断面図である。
【図６】図３のＢ−Ｂ断面図である。
【図７】（ａ）は図３のＣ−Ｃ断面に相当する図であり、（ｂ）は内側支持部材に対して外側支持部材を回動した状態を示す説明図である。
【図８】同実施の形態の外側支持部材を示す分解斜視図である。
【図９】同実施の形態の外側支持部材を背面側から見た状態を示す分解斜視図である。
【図１０】同実施の形態の内側支持部材に外側支持部材を取り付ける様子を示す説明図である。
【図１１】同実施の形態の内側支持部材に外側支持部材を取り付ける様子を示す背面から見た状態を示す説明図である。
【図１２】同実施の形態の両脚部を延ばした状態を示す説明図である。
【符号の説明】
【００７９】
１    物干し
１１    内側物干し構成部材
１２    外側物干し構成部材
１５    内脚部
１８    外脚部
２１    連結部
２２    内側支持部材
２３    外側支持部材
４１    ガイド溝
４５    凸条部
５１    筒部
５３    スリット
５２    雄ねじ
５４    筒状部材
６１    テーパー面
６２    内側固定手段
８３    挿入部
９１    規制部
９２    規制部
１０１    筒部
１０３    スリット
１０２    雄ねじ
１０４    筒状部材
１１１    テーパー面
１１２    内側固定手段
１３１    下部分割部材
１３２    上部分割部材
Ｃ    回転中心
【図１】
2007130270.tif 000003
【図２】
2007130270.tif 000004
【図３】
2007130270.tif 000005
【図４】
2007130270.tif 000006
【図５】
2007130270.tif 000007
【図６】
2007130270.tif 000008
【図７】
2007130270.tif 000009
【図８】
2007130270.tif 000010
【図９】
2007130270.tif 000011
【図１０】
2007130270.tif 000012
【図１１】
2007130270.tif 000013
【図１２】
2007130270.tif 000014